【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
デジタル無線周波数モーションセンサーであって、
無線周波数送信器であって、前記送信器は、無線周波数パルスを出射するように構成される、無線周波数送信器と、
前記出射された無線周波数パルスのうち反射されたものを受信するように構成された受信器と、
を含み、
前記無線周波数送信器は、
タイミングパルスを生成するように構成されたマイクロコントローラと、
前記タイミングパルスに応答して信号パルスを生成するように構成されたパルス生成器と、
安定した無線周波数発振信号を生成するように構成された発振器と、
前記パルス生成器および前記発振器へ結合された切換回路であって、前記切換回路は、周波数が前記発振器から得られたパルス無線周波数発振信号を生成するように構成される、切換回路と、
を含み、
前記マイクロコントローラは、
前記受信器において、ベースバンド信号を決定するために出射及び受信された信号の合成信号を復調し、中間周波数（ＩＦ）を生成するために前記ベースバンド信号を変調すること、
前記受信器においてベースバンド信号を生成するための中間周波数（ＩＦ）信号増幅段階後のＩＦ信号のデジタル復調、
前記受信器からの1つ以上のベースバンド信号のデジタル増幅、および
前記受信器からの1つ以上の信号またはベースバンド信号のデジタルフィルタリング、
のうち少なくとも１つを制御するように構成される、
センサー。
【請求項２】
前記発振器は、誘電体共振器を含む、請求項１のセンサー。
【請求項３】
前記パルス生成器は、前記マイクロコントローラによって生成されたタイミング信号を受信するように構成された論理ゲート回路を含む、請求項１〜２のうちいずれか一項に記載のセンサー。
【請求項４】
前記マイクロコントローラは、前記出射された無線周波数パルスのうち反射されて受信されたものと、前記出射された無線周波数パルスとの間の位相および／または大きさの差を示す前記受信器からの信号をサンプリングするように、前記受信器へ結合される、請求項１〜３のうちいずれか一項に記載のセンサー。
【請求項５】
前記マイクロコントローラは、前記受信器からの前記信号をデジタル的に復調させるように構成される、請求項１〜４のうちいずれか一項に記載のセンサー。
【請求項６】
前記受信器は、前記マイクロコントローラへの入力におけるサンプリングのために同相信号および直角位相信号を生成する、請求項１〜５のうちいずれか一項に記載のセンサー。
【請求項７】
前記受信器はミキサーを含み、前記マイクロコントローラは、前記ミキサーの動作のタイミングを制御する、請求項１〜６のうちいずれか一項に記載のセンサー。
【請求項８】
前記ミキサーは、切換型大きさ検出器を含む、請求項７のセンサー。
【請求項９】
前記マイクロコントローラは、前記受信器からの１つ以上のデジタル的に復調された信号からの呼吸、睡眠および心拍数情報のうち任意の１つ以上のインジケータを生成するように、構成される、請求項１〜８のうちいずれか一項に記載のセンサー。
【請求項１０】
前記マイクロコントローラは、前記センサーをオンおよびオフにすることによりセンサー動作をトリガする、請求項１〜９のうちいずれか一項に記載のセンサー。
【請求項１１】
前記マイクロコントローラは、エポックにおいて受信された信号からのデータの保存を制御するように構成される、請求項１〜１０のうちいずれか一項に記載のセンサー。
【請求項１２】
メモリをさらに含み、前記メモリは、前記エポックを保存する、請求項１１のセンサー。
【請求項１３】
前記メモリは、ＳＤカード、マイクロＳＤカードおよびフラッシュのうち１つ以上を含む、請求項１２のセンサー。
【請求項１４】
前記メモリは、前記マイクロコントローラと一体化される、請求項１２のセンサー。
【請求項１５】
前記センサーは、受信された信号から導出されたデータの前記センサーからの無線送信のために構成される、請求項１〜１４のうちいずれか一項に記載のセンサー。
【請求項１６】
前記無線送信はＮＦＣ通信を含む、請求項１５のセンサー。
【請求項１７】
デジタルまたはアナログの出力接続をさらに含む、請求項１〜１６のうちいずれか一項に記載のセンサー。
【請求項１８】
前記デジタルまたはアナログの出力接続は、ＲＳ２３２、シリアルまたはＵＳＢ接続である、請求項１７のセンサー。
【請求項１９】
前記センサーはアナログ出力を含み、前記マイクロコントローラは、前記受信器から受信されたデジタル信号を前記アナログ出力を介した出力のためのアナログ信号へ変換するように構成される、請求項１〜１８のうちいずれか一項に記載のセンサー。
【請求項２０】
前記アナログ信号は、パルス幅変調信号を含む、請求項１９のセンサー。
【請求項２１】
ハウジングをさらに含み、前記センサーは、前記ハウジング内に収容される、請求項１〜２０のうちいずれか一項に記載のセンサー。
【請求項２２】
前記送信器および受信器は、単一のプリント回路基板を含み、前記マイクロコントローラは、前記プリント回路基板へ結合されたチップである、請求項１〜２１のうちいずれか一項に記載のセンサー。
【請求項２３】
前記受信器は、前記出射された無線周波数（ＲＦ）パルスと、前記出射された無線周波数パルスのうち反射されて受信されたものを混合するための２つの検出器を含み、前記２つの検出器は、同相信号のための１つの大きさ検出器および直角位相信号のための１つの大きさ検出器を含み、各大きさ検出器は、第１の規定時点ｔ１において、そして第１の数のＲＦパルスのうちそれぞれ１つの内にて規定された第一持続時間Ｔ１の間スイッチオンされて、前記センサーのレンジゲーティング能力をもたらすように構成される、請求項１〜２２のうちいずれか一項に記載のセンサー。
【請求項２４】
各検出器は、第２の規定時点ｔ０において、そして第２の数のＲＦパルスのうちそれぞれ１つの内にて第２の規定持続時間Ｔ０の間切り換えられ、前記第１の規定時点ｔ１は、前記第２の規定時点ｔ０と異なり、各検出器は、ベースバンド周波数よりも高い中間周波数において前記混合パルスを変調させる、請求項２３のセンサー。
【請求項２５】
前記第１の数のＲＦパルスは、前記第２の数のＲＦパルスに等しい、請求項２４のセンサー。
【請求項２６】
少なくとも前記第１の数または前記第２の数のＲＦパルスは、複数の連続パルスである、請求項２４または２５のセンサー。
【請求項２７】
各検出器は、前記第１の数のＲＦパルスにおける前記第１の規定時点ｔ１における切換型、前記第２の数のＲＦパルスにおける前記第２の規定時点ｔ０における切換型との間に交互にされる、請求項２４〜２６のセンサー。
【請求項２８】
第１の持続時間Ｔ１は、第２の持続時間Ｔ０に等しい、請求項２４〜２７のセンサー。
【請求項２９】
第１の規定時間ｔ１は、前記第２の規定時間ｔ０と異なる、請求項２４〜２７のセンサー。
【請求項３０】
前記検出器は、大きさ検出器である、請求項２３〜２９のうちいずれか一項に記載のセンサー。
【請求項３１】
前記受信器は、各検出器について、前記変調混合パルスを前記中間周波数において増幅させる前置増幅器または増幅器をさらに含む、請求項２４〜３０のうちいずれか一項に記載のセンサー。
【請求項３２】
前記マイクロコントローラは、前記増幅された変調混合パルスをベースバンド信号に復調させるようにさらに構成される、請求項３１のセンサー。
【請求項３３】
前記受信器および無線周波数送信器は、前記マイクロコントローラによってデジタル的に制御されて、そのパラメータの少なくとも一部の変化を自動化させる、請求項１〜３２のうちいずれか一項に記載のセンサー。
【請求項３４】
レンジゲートの生理学的感知のための無線周波数パルスを生成するための信号を生成する回路であって、
タイミングパルスを生成するように構成されたマイクロコントローラと、
前記タイミングパルスの受信に応答して信号パルスを生成するように構成されたパルス生成器と、
無線周波数発振信号を生成するように構成された発振器と、
前記パルス生成器および前記発振器へ結合された切換回路であって、前記切換回路は、前記信号パルスおよび無線周波数発振信号に従ってパルス無線周波数発振信号を生成するように構成される、切換回路と、
アンテナを介した前記パルス無線周波数発振信号に従って前記パルス無線周波数発振信号の受容および無線周波数パルスの出射を行うように前記切換回路の出力へ結合されたアンテナフィードであって、前記アンテナフィードは、前記出射された無線周波数パルスのうち反射されたものを受信するように構成される、アンテナフィードと、
を含み、
前記マイクロコントローラは、
ベースバンド信号を決定するために出射された合成信号を復調し、中間周波数（ＩＦ）信号を生成するために前記ベースバンド信号を変調すること、
前記受信器においてベースバンド信号を生成するための中間周波数（ＩＦ）信号増幅段階後のＩＦ信号のデジタル復調、
前記出射された無線周波数パルスのうち反射されて受信されたものから導出された1つ以上のベースバンド信号のデジタル増幅、および
前記出射された無線周波数パルスのうち反射されて受信されたものから導出された1つ以上の信号またはベースバンド信号のデジタルフィルタリング、
のうち少なくとも１つを制御するように構成される、
回路。
【請求項３５】
前記アンテナフィードと結合された１組の大きさ検出器をさらに含み、前記１組の大きさ検出器は、前記アンテナフィードで受信された信号を前記切換回路から生成された信号に基づいて検出する、請求項３４の回路。
【請求項３６】
マイクロコントローラは、前記大きさ検出器の１つ以上の出力をサンプリングするように構成される、請求項３５の回路。
【請求項３７】
前記大きさ検出器の出力は、前記出射された無線周波数パルスのうち反射されて受信されたものと、前記出射された無線周波数パルスとの間の位相および／または大きさ差を示す同相信号および直角位相信号を含む、請求項３５〜３６のうちいずれか一項に記載の回路。
【請求項３８】
前記マイクロコントローラは、前記１組の大きさ検出器の出力をデジタル的に復調させるように構成される、請求項３５〜３７のうちいずれか一項に記載の回路。
【請求項３９】
前記マイクロコントローラは、前記１組の大きさ検出器の出力をデジタル的にフィルタリングするように構成される、請求項３５〜３８のうちいずれか一項に記載の回路。
【請求項４０】
前記大きさ検出器は、前記マイクロコントローラによってデジタル的にフィルタリングされた１つ以上のベースバンド信号を導出する、請求項３５〜３９のうちいずれか一項に記載の回路。
【請求項４１】
前記大きさ検出器は、前記マイクロコントローラによってデジタル的に増幅された１つ以上のベースバンド信号を導出する、請求項３５〜４０のうちいずれか一項に記載の回路。
【請求項４２】
前記発振器は誘電体共振器を含む、請求項３４〜４１のうちいずれか一項に記載の回路。
【請求項４３】
前記パルス生成器は、前記マイクロコントローラによって生成されたタイミング信号を受信するように構成された論理ゲート回路を含む、請求項３４〜４２のうちいずれか一項に記載の回路。
【請求項４４】
前記マイクロコントローラは、呼吸、睡眠および心拍数情報のうち１つ以上を、前記アンテナフィードを介して受信された１つ以上の信号に基づいて生成するように構成される、請求項３４〜４３のうちいずれか一項に記載の回路。
【請求項４５】
前記マイクロコントローラは、送信を選択的にオンおよびオフすることにより前記回路の感知動作をトリガするように構成される、請求項３４〜４３のうちいずれか一項に記載の回路。
【請求項４６】
前記マイクロコントローラは、エポックにおいて受信された信号からのデータの保存を制御するように構成される、請求項３４〜４５のうちいずれか一項に記載の回路。
【請求項４７】
メモリインターフェースをさらに含む、請求項３４〜４６のうちいずれか一項に記載の回路。
【請求項４８】
前記回路は、感知信号から導出されたデータの無線送信のための無線トランシーバを含む、請求項３４〜４７のうちいずれか一項に記載の回路。
【請求項４９】
デジタルまたはアナログの出力接続をさらに含む、請求項３４〜４８のうちいずれか一項に記載の回路。
【請求項５０】
前記回路はアナログ出力を含み、前記マイクロコントローラは、前記回路によって感知されたデジタル信号を前記アナログ出力を介した出力のためのアナログ信号へ変換するように構成される、請求項３４〜４９のうちいずれか一項に記載の回路。
【請求項５１】
前記アナログ信号は、パルス幅変調信号を含む、請求項５０の回路。
【請求項５２】
前記回路は単一のプリント回路基板を含み、前記マイクロコントローラは、前記単一のプリント回路基板へ固定されたチップである、請求項３４〜５１のうちいずれか一項に記載の回路。
【請求項５３】
前記マイクロコントローラは、ベースバンド信号を決定するために出射され受信された信号の合成信号を復調すること、および、中間周波数（ＩＦ）信号を生成するために前記ベースバンド信号を変調することを制御するように構成される、請求項１に記載のセンサー。
【請求項５４】
前記マイクロコントローラは、ベースバンド信号を生成するために中間周波数（ＩＦ）信号増幅段階後のＩＦ信号のデジタル復調を制御するように構成される、請求項１に記載のセンサー。
【請求項５５】
前記マイクロコントローラは、前記出射された無線周波数パルスのうち反射されて受信されたものから導出された１以上のベースバンド信号のデジタル増幅を制御するように構成される、請求項１に記載のセンサー。
【請求項５６】
前記マイクロコントローラは、前記出射された無線周波数パルスのうち反射されて受信されたものから導出された１以上の信号またはベースバンド信号のデジタルフィルタリングを制御するように構成される、請求項１に記載のセンサー。
【手続補正２】
【補正対象書類名】明細書
【補正対象項目名】発明の名称
【補正方法】変更
【補正の内容】
【発明の名称】デジタルレンジゲート無線周波数モーションセンサー、および、無線周波数パルスを生成するための信号を生成する回路
【手続補正３】
【補正対象書類名】明細書
【補正対象項目名】０１２３
【補正方法】変更
【補正の内容】
【０１２３】
本技術の特定の実施形態について述べてきたが、当業者であれば、本技術は、他の特定の形態においてその実質的な特性から逸脱することなく具現化され得ることを理解するであろう。よって、本実施形態および実施例は、あらゆる点において例示的なものであり、限定的なものとしてみなされるべきではない。当該分野における公知の主題への参照は、その反対の暗示がないかぎり、当該主題が本技術に関わる分野の当業者に一般的に公知であることを認めたものではないことが、さらに理解されるであろう。
なお、出願当初の特許請求の範囲の記載は以下の通りである。
請求項１：
デジタル無線周波数モーションセンサーであって、
無線周波数送信器であって、前記送信器は、無線周波数パルスを出射するように構成される、無線周波数送信器と、
前記出射された無線周波数パルスのうち反射されたものを受信するように構成された受信器と、
を含み、
前記無線周波数送信器は、
タイミングパルスを生成するように構成されたマイクロコントローラと、
前記タイミングパルスに応答して信号パルスを生成するように構成されたパルス生成器と、
安定した無線周波数発振信号を生成するように構成された発振器と、
前記パルス生成器および前記発振器へ結合された切換回路であって、前記切換回路は、周波数が前記発振器から得られたパルス無線周波数発振信号を生成するように構成される、切換回路と、
を含む、センサー。
請求項２：
前記発振器は、誘電体共振器を含む、請求項１のセンサー。
請求項３：
前記パルス生成器は、前記マイクロコントローラによって生成されたタイミング信号を受信するように構成された論理ゲート回路を含む、請求項１〜２のうちいずれか一項に記載のセンサー。
請求項４：
前記マイクロコントローラは、前記出射された無線周波数パルスのうち反射されて受信されたものと、前記出射された無線周波数パルスとの間の位相および／または大きさの差を示す前記受信器からの信号をサンプリングするように、前記受信器へ結合される、請求項１〜３のうちいずれか一項に記載のセンサー。
請求項５：
前記マイクロコントローラは、前記受信器からの前記信号をデジタル的に復調させるように構成される、請求項１〜４のうちいずれか一項に記載のセンサー。
請求項６：
前記受信器は、前記マイクロコントローラへの入力におけるサンプリングのために同相信号および直角位相信号を生成する、請求項１〜５のうちいずれか一項に記載のセンサー。
請求項７：
前記受信器はミキサーを含み、前記マイクロコントローラは、前記ミキサーの動作のタイミングを制御する、請求項１〜６のうちいずれか一項に記載のセンサー。
請求項８：
前記ミキサーは、切換型大きさ検出器を含む、請求項７のセンサー。
請求項９：
前記マイクロコントローラは、前記受信器からの１つ以上のデジタル的に復調された信号からの呼吸、睡眠および心拍数情報のうち任意の１つ以上のインジケータを生成するように、構成される、請求項１〜８のうちいずれか一項に記載のセンサー。
請求項１０：
前記マイクロコントローラは、前記センサーをオンおよびオフにすることによりセンサー動作をトリガする、請求項１〜９のうちいずれか一項に記載のセンサー。
請求項１１：
前記マイクロコントローラは、エポックにおいて受信された信号からのデータの保存を制御する、請求項１〜１０のうちいずれか一項に記載のセンサー。
請求項１２：
メモリをさらに含み、前記メモリは、前記エポックを保存する、請求項１１のセンサー。
請求項１３：
前記メモリは、ＳＤカード、マイクロＳＤカードおよびフラッシュのうち１つ以上を含む、請求項１２のセンサー。
請求項１４：
前記メモリは、前記マイクロコントローラと一体化される、請求項１２のセンサー。
請求項１５：
前記センサーは、受信された信号から導出されたデータの前記センサーからの無線送信のために構成される、請求項１〜１４のうちいずれか一項に記載のセンサー。
請求項１６：
前記無線送信はＮＦＣ通信を含む、請求項１５のセンサー。
請求項１７：
前記マイクロコントローラは、前記受信器からの１つ以上の信号をデジタル的にフィルタリングするように構成される、請求項１〜１６のうちいずれか一項に記載のセンサー。
請求項１８：
前記マイクロコントローラは、前記受信器からの１つ以上のベースバンド信号をデジタル的にフィルタリングするように構成される、請求項１〜１７のうちいずれか一項に記載のセンサー。
請求項１９：
前記マイクロコントローラは、前記受信器からの１つ以上のベースバンド信号をデジタル的に増幅させるように構成される、請求項１〜１８のうちいずれか一項に記載のセンサー。
請求項２０：
デジタルまたはアナログの出力接続をさらに含む、請求項１〜１９のうちいずれか一項に記載のセンサー。
請求項２１：
前記デジタルまたはアナログの出力接続は、ＲＳ２３２、シリアルまたはＵＳＢ接続である、請求項２０のセンサー。
請求項２２：
前記センサーはアナログ出力を含み、前記マイクロコントローラは、前記受信器から受信されたデジタル信号を前記アナログ出力を介した出力のためのアナログ信号へ変換するように構成される、請求項１〜２１のうちいずれか一項に記載のセンサー。
請求項２３：
前記アナログ信号は、パルス幅変調信号を含む、請求項２２のセンサー。
請求項２４：
ハウジングをさらに含み、前記センサーは、前記ハウジング内に収容される、請求項１〜２３のうちいずれか一項に記載のセンサー。
請求項２５：
前記送信器および受信器は、単一のプリント回路基板を含み、前記マイクロコントローラは、前記プリント回路基板へ結合されたチップである、請求項１〜２４のうちいずれか一項に記載のセンサー。
請求項２６：
前記受信器は、前記出射された無線周波数（ＲＦ）パルスと、前記出射された無線周波数パルスのうち反射されて受信されたものを混合するための２つの検出器を含み、前記２つの検出器は、同相信号のための１つの大きさ検出器および直角位相信号のための１つの大きさ検出器を含み、各大きさ検出器は、第１の規定時点ｔ１において、そして第１の数のＲＦパルスのうちそれぞれ１つの内にて規定された第一持続時間Ｔ１の間スイッチオンされて、前記センサーのレンジゲーティング能力をもたらすように構成される、請求項１〜２５のうちいずれか一項に記載のセンサー。
請求項２７：
各検出器は、第２の規定時点ｔ０において、そして第２の数のＲＦパルスのうちそれぞれ１つの内にて第２の規定持続時間Ｔ０の間切り換えられ、前記第１の規定時点ｔ１は、前記第２の規定時点ｔ０と異なり、各検出器は、ベースバンド周波数よりも高い中間周波数において前記混合パルスを変調させる、請求項２６のセンサー。
請求項２８：
前記第１の数のＲＦパルスは、前記第２の数のＲＦパルスに等しい、請求項２７のセンサー。
請求項２９：
少なくとも前記第１の数または前記第２の数のＲＦパルスは、複数の連続パルスである、請求項２７または２８のセンサー。
請求項３０：
各検出器は、前記第１の数のＲＦパルスにおける前記第１の規定時間ｔ１における切換型、前記第２の数のさらなるＲＦパルスにおける前記第２の規定時間ｔ０における切換型との間に交互にされる、請求項２７〜２９のセンサー。
請求項３１：
第１の持続時間Ｔ１は、第２の持続時間Ｔ０に等しい、請求項２７〜３０のセンサー。
請求項３２：
第１の規定時間ｔ１は、前記第２の規定時間ｔ０と異なる、請求項２７〜３１のセンサー。
請求項３３：
前記検出器は、大きさ検出器である、請求項２６〜３２のうちいずれか一項に記載のセンサー。
請求項３４：
前記受信器は、各検出器について、前記変調混合パルスを前記中間周波数において増幅させる前置増幅器または増幅器をさらに含む、請求項２７〜３３のうちいずれか一項に記載のセンサー。
請求項３５：
前記マイクロコントローラは、前記増幅された変調混合パルスをベースバンド信号に復調させるようにさらに構成される、請求項３４のセンサー。
請求項３６：
前記受信器および無線周波数送信器は、前記マイクロコントローラによってデジタル的に制御されて、そのパラメータの少なくとも一部の変化を自動化させる、請求項１〜３５のうちいずれか一項に記載のセンサー。
請求項３７：
レンジゲートの生理学的感知のための無線周波数パルスを生成するための信号を生成する回路であって、
タイミングパルスを生成するように構成されたマイクロコントローラと、
前記タイミングパルスの受信に応答して信号パルスを生成するように構成されたパルス生成器と、
無線周波数発振信号を生成するように構成された発振器と、
前記パルス生成器および前記発振器へ結合された切換回路であって、前記切換回路は、前記信号パルスおよび無線周波数発振信号に従ってパルス無線周波数発振信号を生成するように構成される、切換回路と、
アンテナを介した前記パルス無線周波数発振信号に従って前記パルス無線周波数発振信号の受容および無線周波数パルスの出射を行うように前記切換回路の出力へ結合されたアンテナフィードであって、前記アンテナフィードは、前記出射された無線周波数パルスのうち反射されたものを受信するように構成される、アンテナフィードと、
を含む、回路。
請求項３８：
前記アンテナフィードと結合された１組の大きさ検出器をさらに含み、前記大きさ検出器は、前記アンテナフィードで受信された信号を前記切換回路から生成された信号に基づいて検出する、請求項３７の回路。
請求項３９：
マイクロコントローラは、前記大きさ検出器の１つ以上の出力をサンプリングするように構成される、請求項３８の回路。
請求項４０：
前記大きさ検出器の出力は、前記出射された無線周波数パルスのうち反射されて受信されたものと、前記出射された無線周波数パルスとの間の位相および／または大きさ差を示す同相信号および直角位相信号を含む、請求項３８〜３９のうちいずれか一項に記載の回路。
請求項４１：
前記マイクロコントローラは、前記大きさ検出器の出力をデジタル的に復調させるように構成される、請求項３８〜４０のうちいずれか一項に記載の回路。
請求項４２：
前記マイクロコントローラは、前記大きさ検出器の出力をデジタル的にフィルタリングするように構成される、請求項３８〜４１のうちいずれか一項に記載の回路。
請求項４３：
前記マイクロコントローラは、前記大きさ検出器から導出された１つ以上のベースバンド信号をデジタル的にフィルタリングするように構成される、請求項３８〜４２のうちいずれか一項に記載の回路。
請求項４４：
前記マイクロコントローラは、前記大きさ検出器からの１つ以上のベースバンド信号をデジタル的に増幅させるように構成される、請求項３８〜４３のうちいずれか一項に記載の回路。
請求項４５：
前記発振器は誘電体共振器を含む、請求項３７〜４４のうちいずれか一項に記載の回路。
請求項４６：
前記パルス生成器は、前記マイクロコントローラによって生成されたタイミング信号を受信するように構成された論理ゲート回路を含む、請求項３７〜４５のうちいずれか一項に記載の回路。
請求項４７：
前記マイクロコントローラは、呼吸、睡眠および心拍数情報のうち１つ以上を、前記アンテナフィードを介して受信された１つ以上の信号に基づいて生成するように構成される、請求項３７〜４６のうちいずれか一項に記載の回路。
請求項４８：
前記マイクロコントローラは、送信を選択的にオンおよびオフすることにより前記回路の感知動作をトリガするように構成される、請求項３７〜４７のうちいずれか一項に記載の回路。
請求項４９：
前記マイクロコントローラは、エポックにおいて受信された信号からのデータの保存を制御する、請求項３７〜４８のうちいずれか一項に記載の回路。
請求項５０：
メモリインターフェースをさらに含む、請求項３７〜４９のうちいずれか一項に記載の回路。
請求項５１：
前記回路は、感知信号から導出されたデータの無線送信のための無線トランシーバを含む、請求項３７〜５０のうちいずれか一項に記載の回路。
請求項５２：
デジタルまたはアナログの出力接続をさらに含む、請求項３７〜５１のうちいずれか一項に記載の回路。
請求項５３：
前記回路はアナログ出力を含み、前記マイクロコントローラは、前記回路によって感知されたデジタル信号を前記アナログ出力を介した出力のためのアナログ信号へ変換するように構成される、請求項３７〜５２のうちいずれか一項に記載の回路。
請求項５４：
前記アナログ信号は、パルス幅変調信号を含む、請求項５３の回路。
請求項５５：
前記回路は単一のプリント回路基板を含み、前記マイクロコントローラは、前記プリント回路基板へ固定されたチップである、請求項３７〜５４のうちいずれか一項に記載の回路。